(57)【要約】【課題】家具としてのデザイン性を備えつつ、災害時に安全に避難できると共に、長時間の避難生活にも充分に対応できる防災用テーブルを提供する。【解決手段】本発明に係る防災用テーブルは、脚柱と天板とよりなるテーブル構造において、天板裏面に災害時用の備品類等を前記天板裏面の直下より収納取出し可能とした備品収納機能を具備させると共に、前記天板裏面の前記備品収納機能は前記天板裏面に張設した保持部材による寝具等の柔軟性備品収納機能よりなることを特徴とする。【選択図】図８
2014210095.tif 000002
【特許請求の範囲】
【請求項１】
脚柱と天板とよりなるテーブル構造において、
天板裏面に災害時用の備品類等を前記天板裏面の直下より収納取出し可能とした備品収納機能を具備させると共に、
前記天板裏面の前記備品収納機能は前記天板裏面に張設した保持部材による寝具等の柔軟性備品収納機能よりなることを特徴とする防災用テーブル。
【請求項２】
前記保持部材は紐状の伸縮性部材を格子状として前記天板裏面に張設したことを特徴とする請求項１に記載の防災用テーブル。
【請求項３】
前記脚柱は前記脚柱の内部空間に災害時用の備品類等を収納取出し可能とした備品収納機能を備えることを特徴とする請求項１または請求項２に記載の防災用テーブル。
【請求項４】
前記天板裏面の前記備品収納機能は、前記天板裏面の周縁に形成したペットボトル収納機能を備えたことを特徴とする請求項１〜３の何れか１項に記載の防災用テーブル。
【請求項５】
前記天板裏面にテーブル下方への避難時における身体保持用のグリップを突設したしたことを特徴とする請求項１〜４の何れか１項に記載の防災用テーブル。
【請求項６】
前記天板裏面の周縁部近傍には前記柔軟性備品収納機能が外部より見えないように幕板を垂設したことを特徴とする請求項１〜５の何れか１項に記載の防災用テーブル。
【請求項７】
前記脚柱は、上半部を前記内部空間とすると共に、脚柱全体を外方拡開状の傾斜姿勢としたことを特徴とする請求項１〜６の何れか１項に記載の防災用テーブル。
【請求項８】
対角に位置する前記脚柱の下端部間に帯状の連結部を備えたことを特徴とする請求項１〜７の何れか１項に記載の防災用テーブル。
【請求項９】
前記天板裏面の前記備品収納機能は、前記天板裏面に前記保持部材を張設するための着脱自在な係止フックを備えたことを特徴とする請求項１〜８の何れか１項に記載の防災用テーブル。
【発明の詳細な説明】
【技術分野】
【０００１】
本発明は、防災用テーブルに関する。
【背景技術】
【０００２】
従来より、災害時、特に地震発生時に建屋内に居た場合には、第一に身の安全を確保するためにテーブルや机の下に避難することが推奨され、実行されている。また、避難の際にはヘルメットを着用することが望ましいが、個人用のヘルメットを各人の周りに常備させておくことは経費の面や保管場所等の問題から困難である。このような事情から、落下物等から少なくとも頭部を保護するためにも、テーブル下等への避難が一般的な行動として認知されている。また、避難したテーブル下において、食料やラジオ等の備品類を確実に入手できれば、適切な状況把握や体力の最低限の維持等、自力での脱出前や救助されるまでの間における精神的な安心感と身体的な安全を確保することができる。
【０００３】
このような状況に鑑みて、食料や備品類等をテーブル自体に収納しておくための種々の技術が開示され実用化されている。しかしながら多くの場合、例えば、特許文献１に開示されたテーブルに関する技術においては、災害時に使用する備品類等の収納機能を優先しており、日常における家具としてのデザイン性が充分に考慮されているとは言い難い。
【０００４】
そこで、例えば、非特許文献１に開示されたテーブルにおいては、家具としてのデザイン性と避難機能としての収納性を両立させた技術が開示され、実際に販売されている。
【先行技術文献】
【特許文献】
【０００５】
【特許文献１】実登３１５２１９３号公報
【非特許文献１】株式会社田建“ＤＥＮＫＥＮ オーダーメイド防災テーブル”[online]、[平成２５年３月１１日検索]、インターネット＜ＵＲＬ：http://www.den-ordertable.com/＞
【発明の概要】
【発明が解決しようとする課題】
【０００６】
しかしながら、非特許文献１に開示されたテーブルは、家具としてのデザイン性を有するものの、テーブルの脚部においては、収納スペースを確保すべく通常のテーブル脚部に比して非常に大きく幅のある形状となっており、なお、一般的な家具としてのテーブルのデザインであるとは言い難い。
【０００７】
また、特許文献１や非特許文献１に開示されたテーブルは、災害時の一時的な避難を前提としているため、倒れた家具や落下した天井等の部材によってテーブル等の下から脱出できなくなる状況は想定されていない。また、テーブル下に避難した後に、複数回の地震が発生することも想定されていない。
【０００８】
この事は、テーブル下に避難する際、もしくは避難した後に、更なる地震によって身体が上下左右に揺らされて、本来はヘルメットの役割を担うべき頭上のテーブル天板裏面と頭部が激しく衝突して怪我をしてしまうといった問題を有している。更に、頭部ばかりでなく、身体がテーブル外に飛び出してしまい、落下物等によって怪我をする危険性も有している。
【０００９】
本発明は、以上のような事情に鑑みてなされたものであり、家具としてのデザイン性を備えつつ、災害時に安全に避難できると共に、長時間の避難生活にも充分に対応できる防災用テーブルを提供することにある。
【課題を解決するための手段】
【００１０】
以上のような目的を達成するために、本発明は以下のようなものを提供する。
【００１１】
請求項１に係る発明では、脚柱と天板とよりなるテーブル構造において、天板裏面に災害時用の備品類等を前記天板裏面の直下より収納取出し可能とした備品収納機能を具備させると共に、前記天板裏面の前記備品収納機能は前記天板裏面に張設した保持部材による寝具等の柔軟性備品収納機能よりなることを特徴とする防災用テーブル。
【００１２】
請求項２に係る発明では、前記保持部材は紐状の伸縮性部材を格子状として前記天板裏面に張設したことを特徴とする請求項１に記載の防災用テーブル。
【００１３】
請求項３に係る発明では、前記脚柱は前記脚柱の内部空間に災害時用の備品類等を収納取出し可能とした備品収納機能を備えることを特徴とする請求項１または請求項２に記載の防災用テーブル。
【００１４】
請求項４に係る発明では、前記天板裏面の前記備品収納機能は、前記天板裏面の周縁に形成したペットボトル収納機能を備えたことを特徴とする請求項１〜３の何れか１項に記載の防災用テーブル。
【００１５】
請求項５に係る発明では、前記天板裏面にテーブル下方への避難時における身体保持用のグリップを突設したしたことを特徴とする請求項１〜４の何れか１項に記載の防災用テーブル。
【００１６】
請求項６に係る発明では、前記天板裏面の周縁部近傍には前記柔軟性備品収納機能が外部より見えないように幕板を垂設したことを特徴とする請求項１〜５の何れか１項に記載の防災用テーブル。
【００１７】
請求項７に係る発明では、前記脚柱は、上半部を前記内部空間とすると共に、脚柱全体を外方拡開状の傾斜姿勢としたことを特徴とする請求項１〜６の何れか１項に記載の防災用テーブル。
【００１８】
請求項８に係る発明では、対角に位置する前記脚柱の下端部間に帯状の連結部を備えたことを特徴とする請求項１〜７の何れか１項に記載の防災用テーブル。
【００１９】
請求項９に係る発明では、前記天板裏面の前記備品収納機能は、前記天板裏面に前記保持部材を張設するための着脱自在な係止フックを備えたことを特徴とする請求項１〜８の何れか１項に記載の防災用テーブル。
【発明の効果】
【００２０】
本発明による防災用テーブルによれば、家具としてのデザイン性を備えつつ、災害時に安全に避難できると共に、長時間の避難生活にも充分に対応することができる。
【図面の簡単な説明】
【００２１】
【図１】本発明の一実施形態に係る防災用テーブルの斜視図である。
【図２】本発明の一実施形態に係る防災用テーブルの底面図である。
【図３】本発明の一実施形態に係る防災用テーブルの正面図である。
【図４】本発明の一実施形態に係る防災用テーブルの側面図である。
【図５】本発明の一実施形態に係る防災用テーブルのＡ−Ａ線断面図である。
【図６】本発明の一実施形態に係る防災用テーブルのＢ−Ｂ線断面図である。
【図７】本発明の一実施形態に係る防災用テーブルのＣ−Ｃ線断面図である。
【図８】本発明の一実施形態に係る防災用テーブルの収納例を示す斜視図である。
【図９】本発明の一実施形態に係る防災用テーブルの脚柱の断面図である。
【図１０】本発明の一実施形態に係る防災用テーブルのＤ−Ｄ線断面図の一部である。
【図１１】本発明の一実施形態に係る防災用テーブルの底面図である。
【図１２】（ａ）は本発明の一実施形態に係る防災用テーブルのペットボトル収納機能を示す底面図であり、（ｂ）は柔軟性備品収納機能を示す底面図である。
【図１３】本発明の一実施形態に係る防災用テーブルの底面図である。
【図１４】本発明の一実施形態に係る防災用テーブルの斜視図である。
【図１５】本発明の一実施形態に係る防災用テーブルのＢ−Ｂ線断面図である。
【図１６】本発明の一実施形態に係る防災用テーブルの斜視図である。
【図１７】本発明の一実施形態に係る防災用テーブルのＢ−Ｂ線断面図である。
【図１８】本発明の一実施形態に係る防災用テーブルの斜視図である。
【図１９】本発明の一実施形態に係る防災用テーブルのＢ−Ｂ線断面図である。
【図２０】（ａ）、（ｂ）は本発明の一実施形態に係る防災用テーブルと連結部の斜視図である。
【図２１】（ａ）は本発明の一実施形態に係る防災用テーブルの連結部の底面図であり、（ｂ）は連結部のＥ−Ｅ線断面図である。
【図２２】本発明の変形例に係る防災用テーブルの係止フックを示す図である。
【図２３】（ａ）は本発明の変形例に係る防災用テーブルの係止フックを任意に配設した底面図であり、（ｂ）は係止フックと凹部溝を任意に配設した底面図である。
【発明を実施するための形態】
【００２２】
本発明の要旨は、脚柱３と天板２とよりなるテーブル構造において、天板裏面４に災害時用の備品類等を天板裏面４の直下より収納取出し可能とした備品収納機能５，７を具備させると共に、天板裏面４の第一備品収納機能５は天板裏面４に張設した保持部材１９による寝具等の柔軟性備品収納機能２４よりなることを特徴とする防災用テーブル１である。すなわち、家具としてのデザイン性を備えつつ、災害時に安全に避難できると共に、長時間の避難生活にも充分に対応することができるものである。
【００２３】
本実施形態に係る防災用テーブル１は、テーブルとして使用した際に十分な強度が得られると共に、災害時に天板１３に重量物が落下しても脚柱３等の破損等が発生し難い程度の材質で構成されていればよい。このような材質としては例えば、木材や金属、樹脂等を挙げることができる。特に本実施形態では、一部の部材を除いて、加工が容易で、且つ温かみのある木材によって形成しているが、木材に限定されるものではない。
【００２４】
以下、本発明の一実施形態について図面を参照しながら説明するが、左右同一又は左右対称等の構造や部品については、原則として同一の符号を付し、左右何れか一方のみを説明して、他方については説明を適宜省略する。
【００２５】
[実施形態]
図１〜図７に示すように、本実施形態に係る防災用テーブル１は、主要部材として一枚の天板２と四本の脚柱３とで構成しており、外観上はリビングやダイニング等で使用される一般的なテーブル形状としている。天板２は、平面視略長方形状で全ての角部がＲ面取り加工されており、天板裏面４には、天板裏面４の直下から収納・取出し可能な第一備品収納機能５と防災用テーブル１下への避難時に身体の動きを固定するための身体保持用の複数のグリップ６を備えている。
【００２６】
また、天板裏面４の四隅の角部近傍には夫々脚柱３が配設されており、脚柱３の上半部２７には、第二備品収納機能７を備えている。また、天板裏面４の周縁部近傍には幕板８を垂設し、第一備品収納機能５によって収納された備品類やグリップ６が、通常の使用状態では外部から視認し難いようにしている。更に、図２０（ａ）、（ｂ）に示すように、脚柱３の下端部には、対角に位置する脚柱３間に渡り連結部９を備えることができる。
【００２７】
また、図８は、防災用テーブル１の第一備品収納機能５と第二備品収納機能７によって、ペットボトル１００、缶詰１０１、軍手１０２、衣類１０３、毛布１０４、救急箱１０５等が収納された使用例を示している。
【００２８】
以上のように構成した防災用テーブル１は、例えば大地震の場合、防災用テーブル１の下方へ避難し、上方のグリップ６をしっかりと把持することで、揺れによって身体が防災用テーブル１の外側に飛び出すことなく、上方からの落下物や倒れた家具等から身体を守る役割を果たすことができる。
【００２９】
また、地震が治まった後においては、天板裏面４の第一、第二備品収納機能５，７から食料や飲料水、ラジオ等の情報機器、寝具等を容易に取り出すことができるので、救助が来るまでの間の不安や健康面において非常に心強いものとなる。特に、部屋の天井部材や周囲の家具等が防災用テーブル１の周辺に散在し、防災用テーブル１の下から身動きが取れなくなった場合であっても、本実施形態に係る防災用テーブル１であれば、様々な備品類等によって長時間の避難に耐えることが可能となるものである。
【００３０】
また、脚柱３の下端部に連結部９を備えることで、防災用テーブル１の上方から天面１３に重量物が落下してきても、脚柱３が外側に開いて天板裏面４から脚柱３が外れることなく、安心して避難することができる。
【００３１】
次に、防災用テーブル１の各部の構造について詳説する。
【００３２】
天板２は、図１、図９に示すように、平面視略長方形状の板状に形成している。天板２の角部はＲ面取り加工され、各角部近傍には脚柱３を連結固定するために、天板２を貫通する固定孔１０を形成している。固定孔１０は、天面１３側に、ボルトの頭部が収容可能なボルト凹部５０を形成すると共に、天板裏面４の固定孔１０近傍には、脚柱３の回転防止用に嵌合ブロック材１１を圧入するための天板嵌合孔１２を穿設している。なお、天板２の天面１３に形成される固定孔１０の開口部は、脚柱３を連結固定した後に、開口部の内径と略同径の外径で形成された凹状の天板蓋１４を、天板蓋１４の開口を下側として嵌挿することで被覆される。
【００３３】
また、図２〜図８に示すように、天板裏面４に配設される脚柱３の上端部間には、側面視略長方形状に形成された幕板８を天板裏面４に垂設し、脚柱３と幕板８とで囲繞される領域を第一備品収納機能５としている。
【００３４】
次に、ペットボトル収納機能１５の構造について詳説する。
【００３５】
天板裏面４の周縁部であって、幕板８近傍の内側には、第一備品収納機能５の一機能として、ペットボトル収納機能１５を備えている。ペットボトル収納機能１５は、図１２（ａ）に示すゴム紐１９を張設した領域に形成している。また、ペットボトル収納機能１５は、天板裏面４に形成した凹部溝１６と、幕板８に形成した係止部１７と、係止フック１８とゴム紐１９とで構成している。
【００３６】
凹部溝１６は、天板裏面４にペットボトル等の円筒状の備品類が安定して収納可能なように断面略半円凹状とし、隣接する各脚柱３間に形成している。
【００３７】
係止部１７は、幕板８の下端部近傍の内側面に複数形成している。係止部１７は、図１０に示すように、幕板８の内側面側に開口部を有する幕板係止用凹部２０を形成すると共に、幕板８の下端面から幕板係止用凹部２０を貫通して、更に、上方に雌ネジ孔３００を形成した柱用孔２１を形成している。
【００３８】
また、先端部に雄ネジ２００を形成した円柱状の係止用柱２２を、雄ネジ２００側を上側にして柱用孔２１から挿入し、雌ネジ孔３００に対してネジ止めしている。このように構成することで、幕板係止用凹部２０の内部の空間には、略垂直の係止用柱２２が形成され、係止用柱２２を中心とした空間を得る。従って、後述するゴム紐１９を幕板係止用凹部２０の開口部から係止用柱２２の後側を経由するように挿通して引き出すことができる。
【００３９】
係止フック１８は、図２、図８、図１０に示すように、天板裏面４の各凹部溝１６よりも内側（天板裏面の中央側）において、凹部溝１６の長手方向に沿って複数の外観視略逆キノコ状として天板裏面４に一体として突設している。すなわち、凹部溝１６を挟んで幕板８と係止フック１８を形成している。係止フック１８の下端面は、天板裏面４の水平面から突出せず、略同一水平面上となるように形成している。
【００４０】
具体的には、係止フック１８を中心として同心円状に穿設した天板係止用凹部２３を天板裏面４の所定箇所に形成し、天板係止用凹部２３の深さと略同高さの係止フック１８を一体として形成している。また、幕板８に形成された係止部１７の位置と天板裏面４に形成された係止フック１８の位置とは、水平方向に対して交互に互い違いとなるように形成している。
【００４１】
以上のように、係止部１７と係止フック１８とを構成することで、凹部溝１６に収納した備品類等を略固定するための紐状の伸縮性部材であるゴム紐１９を張設可能としている。具体的には、図１１に示すように、例えば、係止フック１８ａに第一ゴム紐１９ａ（図中にて破線）の一方の端部を締結し、他方の端部を係止部１７ａに挿通して更に、第一ゴム紐１９ａを係止フック１８ａに略隣接する係止フック１８ｂに引っ掛けた後、係止部１７ａに隣接する係止部１７ｂに挿通し、これを繰り返す。すなわち、四箇所の全ての凹部溝１６を一本の第一ゴム紐１９ａで連続して略被覆し、起点となった係止フック１８ａに第一ゴム紐１９ａの最終端部を締結する。このようにゴム紐１９を張設することで、図１２（ａ）に示すように、凹部溝１６を下方から略被覆する連続する山形状とし、ペットボトル収納機能１５を構成することができる。
【００４２】
なお、ペットボトル収納機能１５は、主としてペットボトル等の円筒状の備品類を収納することを目的とするが、収納物を円筒状の備品類に限定するもではなく、如何なる備品類を収納しても本発明の要旨の範囲内である。
【００４３】
次に、柔軟性備品収納機能２４の構造について詳説する
【００４４】
図２に示すように、天板裏面４の中央部には、第一備品収納機能５の他の機能として柔軟性備品収納機能２４を備えている。柔軟性備品収納機能２４は、図１２（ｂ）に示すゴム紐１９を張設した領域に形成している。また、柔軟性備品収納機能２４は、天板裏面４に形成した係止フック１８と座繰り孔２５とゴム紐１９とで構成している。天板裏面４にゴム紐１９を格子状に張設することで網棚の役割を果たすものである。なお、係止フック１８は上述した係止フック１８と同様の構造であるため、構造については説明を省略する。
【００４５】
柔軟性備品収納機能２４において使用する係止フック１８は、上述したペットボトル収納機能１５において使用される係止フック１８と一部において兼用される。具来的には、図１２（ｂ）に示すように、防災用テーブル１の長辺側に位置する凹部溝１６ａの両端部近傍及び中央部近傍に配設された係止フック１８ａ，１８ｄ，１８ｇ，（１８ｏ，１８ｒ，１８ｕ）と、防災用テーブル１の短辺側に位置する凹部溝１６ｂの中央部近傍に配設された係止フック１８ｈ，（１８ｉ）を兼用する。
【００４６】
また、長辺側においては、凹部溝１６ａの両端部近傍及び中央部近傍の係止フック１８ａ，１８ｄ，１８ｇ，（１８ｏ，１８ｒ，１８ｕ）の夫々の中間にも係止フック１８ｊ，１８ｋ，（１８ｖ，１８ｗ）を配設する。更に、短辺側の凹部溝１６ｂの中央部近傍の係止フック１８ｈ，１８ｉ間において、等間隔に三個の係止フック１８ｌ，１８ｍ，１８ｎを配設する。なお、全ての係止フック１８の周縁には、上述した天板係止用凹部２３を形成している。
【００４７】
座繰り孔２５は、備品類の収納・取出しの際にゴム紐１９を把持し易くするためのものであり、図７に示すように、天板裏面４の同一水平面よりも上側に指が入るように凹状に形成している。具体的には、座繰り孔２５は原則として、ゴム紐１９が交差する直上の天板裏面４に形成され、ゴム紐１９の交点を中心として同心円状の凹部として形成している。
【００４８】
以上のように柔軟性備品収納機能２４は、所定の箇所に形成した係止フック１８にゴム紐１９を係止することで格子状に張設することができる。ゴム紐１９の張設方法については、図１１に示すように、例えば、第二ゴム紐１９ｂの端部を係止フック１８ａに締結した後、係止フック１８ｌ、係止フック１８ｄ、係止フック１８ｎまで第二ゴム紐１９ｂを各係止フック１８に引っ掛けながら経由して、第二ゴム紐１９ｂ（図中にて二点鎖線）の最終端を係止フック１８ｇにおいて締結固定する。
【００４９】
また、第三ゴム紐１９ｃ（第二ゴム紐１９ｂと同様、図中にて二点鎖線）の端部を係止フック１８ｏに締結した後、係止フック１８ｌ、係止フック１８ｒ、係止フック１８ｎまで第三ゴム紐１９ｃを各係止フック１８に引っ掛けながら経由して、第三ゴム紐１９ｃの最終端を係止フック１８ｕにおいて締結固定する。更に、第四ゴム紐１９ｄ（図中にて実線）の端部を係止フック１８ｈに締結した後、係止フック１８ｊ、係止フック１８ｍ、係止フック１８ｋ、係止フック１８ｉ、係止フック１８ｗ、係止フック１８ｍ、係止フック１８ｖまで第四ゴム紐１９ｄを各係止フック１８に引っ掛けながら経由して、第四ゴム紐１９ｄの最終端を係止フック１８ｈにおいて締結固定する。
【００５０】
このようにゴム紐１９を天板裏面４に張設することで、図１２（ｂ）に示すように、格子状の柔軟性備品収納機能２４として、寝具等の備品類等を収納可能とする。
【００５１】
また、柔軟性備品収納機能２４は、図８に示す防災用テーブル１の使用例に示すように、大型で嵩張る毛布１０４等の寝具を防災用テーブル１の長手方向に沿って収納でき、その他、衣類１０３等を含めて柔軟性を有した備品類を収納できるため、これらの備品類が天板裏面４の緩衝材として機能することができる。すなわち、天板２下への避難の際や、地震時の揺れの際に、天板裏面４側と頭部とが接触しても安全である。
【００５２】
なお、柔軟性備品収納機能２４は、主として柔軟性を有する備品類を収納することを目的とするが、収納物を柔軟性備品に限定するもではなく、如何なる備品類を収納しても本発明の要旨の範囲内である。
【００５３】
また、本発明は上述したゴム紐１９の張設方法に限定されるものではなく、ゴム紐１９を格子状に構成可能であれば、例えば、図１３に示すように、係止部１７と係止フック１８を使用して、上述したペットボトル収納機能１５と柔軟性備品収納機能２４を同時に張設したり、備品類等の大きさ等に応じて柔軟に張設方法を変更する等、如何なる張設方法も本発明の要旨の範囲内である。
【００５４】
次に、グリップ６の構造について詳説する
【００５５】
図１０に示すように、グリップ６は、ゴム製の側面視略ドーナツ状で、上部には天板裏面４に天板２下方からボルト２０１，２０１によって締結固定可能な座繰りを有する二個のボルト孔３０１，３０１を形成している。天板裏面４の所定箇所には、グリップ６の上部と嵌合可能な嵌合凹部２６を形成すると共に、嵌合凹部２６の内側において雌ネジ孔３０２，３０２を二箇所形成している。従って、嵌合凹部２６に対してグリップ６の上部を嵌合させ、更に、上述したボルト孔３０１，３０１にボルト２０１，２０１を挿入して雌ネジ孔３０２，３０２と締結固定することでグリップ６が天板裏面４に固定される。
【００５６】
グリップ６は、図１２（ａ）に示すように、天板裏面４において、天板２の幅方向の略中央部に配設された五個の係止フック１８ｈ，１８ｉ，１８ｌ，１８ｍ，１８ｎ間に、天板２の短辺方向に開口を向けて一列に垂設している。
【００５７】
なお、天板裏面４におけるグリップ６の配設箇所は、上述したように短辺方向に開口を向けて一列に垂設する必要はなく、長辺方向に開口を向けてもよく、また、千鳥状に配設する等、天板裏面４の略中央部に相当する箇所においては、如何なる箇所に如何なる向きで如何なる個数を配設しても、本発明の要旨の範囲内である。
【００５８】
以上のようにグリップ６を配設することで、例えば地震の場合、防災用テーブル１の下方へ避難し、上方のグリップ６をしっかりと把持することで、揺れによって身体が防災用テーブル１の外側に飛び出すことなく、上方からの落下物や倒れた家具等から身体を守る役割を果たすことができる。
【００５９】
また、グリップ６をゴム製とすることで、防災用テーブル１下方への避難時や揺れの最中に避難者の顔や頭がグリップ６に接触等しても安全である。
【００６０】
次に、脚柱３の構造について詳説する。
【００６１】
図１、図２に示すように、脚柱３は、天板２の四隅の角部近傍の裏面において天板２と連結している。また、脚柱３は、図９に示すように、上半部２７を内部空間２８とする脚部収納として第二備品収納機能７を備え、下半部２９と共に天板２を支持している。第二備品収納機能７は、備品類を収納・取出し可能とする開口部３０を備え、各脚柱３の開口部３０は、対角に位置する他の脚柱３側に向けて開口するように構成すると共に、脚柱３全体を外方拡開状の傾斜姿勢としている。
【００６２】
上半部２７は、略逆円錐台状に形成した後、旋盤等の専用機器を用いて横側壁に開口部３０を備えた内部空間２８を形成している。すなわち、上半部２７は、内部空間２８を上方から閉塞する上片３１と下方から閉塞する下片３２とを一体として備えている。
【００６３】
上片３１の略中央部には上片３１を貫通する連結孔３３を形成し、上述した天板２を貫通する固定孔１０と連通させ、ボルト２０２とナット２０３，２０４によって天板２と締結固定している。具体的には、連結孔３３は、上片３１の上面側に、ナット２０３とワッシャ２０６を挿入可能なナット凹部３４を形成すると共に、上片３１を貫通する内部空間２８側の下面側には、少なくともワッシャ２０７が挿入可能なワッシャ凹部３５を形成し、ボルト２０２とナット２０３，２０４による確実な締結固定を可能としている。
【００６４】
以上のように構成することで、天板２の天面１３側から固定孔１０に挿入された、ワッシャ２０５を有するボルト２０２が連結孔３３に向かい、ナット凹部３４に挿入されたワッシャ２０６を上側とするナット２０３と螺着し、更に、ワッシャ凹部３５に挿入された、ワッシャ２０７を上側とするナット２０４と螺着することで、天板２と脚柱３の上半部２７とが締結固定される。
【００６５】
また、上片３１の連結孔３３の近傍には、脚柱３の回転防止用に嵌合ブロック材１１を圧入するための上片嵌合孔３６を穿設している。嵌合ブロック材１１は断面略長方形状であり、天板裏面４に形成された天板嵌合孔１２と上片嵌合孔３６との間に圧入することで、脚柱３（上半部２７）の回転を防止すると共に、正確な位置決めができるようにしている。
【００６６】
下片３２の外側である上半部２７の底面には、後述する下半部２９の雄嵌合部３８が嵌合可能なように雌嵌合部３９を形成している。雌嵌合部３９は、下片３２を貫通する円状の下半部連結孔４０を形成する。
【００６７】
また、上半部２７の外周壁の下側には、下半部２９の雄嵌合部３８の側壁を横側方からネジ２０８で固定するための座繰りを備えたネジ孔３０３を形成している。なお、上半部２７の外周壁に形成されるネジ孔３０３の開口部には、防災用テーブル１の組立後に略円柱状の脚部蓋４１を嵌挿することで被覆されるように構成している。
【００６８】
下半部２９は、上側の略８分の１の範囲に形成した円柱状の雄嵌合部３８と、下側のその他の部分に形成した、雄嵌合部３８の外径よりも大きな外径として形成された略逆円錐台棒状のテーパ部４２とを一体として形成している。
【００６９】
雄嵌合部３８は、上半部２７の下半部連結孔４０に対して下方から挿入することで雄嵌合部３８と雌嵌合部３９とが嵌合され、上半部２７と下半部２９とが連結される。更に、上述した上半部２７のネジ孔３０３にネジ２０８を挿入して、雄嵌合部３８の外周壁を横側方からネジ止めすることで、下半部２９の回転や抜けを防止する。
【００７０】
なお、本実施形態に係る防災用テーブル１の脚柱３の上半部２７は、備品収納・取出し用の開口部３０を一箇所備えた略逆円錐台状に形成しているが、例えば、図１４〜図１７に示すように逆十二角錐形状や四角形状等の多様な外形であっても、上半部２７の複数箇所に備品収納・取出し用の開口部を形成したもの（図示せず）であっても、また、第二備品収納機能７を備えるものであれば本発明の要旨の範囲内である。また、図１８、図１９に示すように、脚柱３に第二備品収納機能７を備えていない防災用テーブル１であっても、本発明の要旨の範囲内である。
【００７１】
以上説明したように、本実施形態に係る防災用テーブル１が備える備品収納機能５によれば、天板裏面４に、保持部材である伸縮性部材のゴム紐１９を格子状に張設しているので、天板２下においてゴム紐１９の間から容易に備品類を取り出すことができる。従って、避難時に気が動転している状況下でも、躊躇することなく必要な備品類を容易に取り出すことができる。
【００７２】
また、備品収納機能５，７によれば、地震が治まった後においては、天板裏面４に形成した第一備品収納機能５や脚柱３に形成した第二備品収納機能７から食料や飲料水、ラジオ等の情報機器、寝具等を容易に取り出すことができるので、救助が来るまでの間の不安や健康面において非常に心強いものとなる。特に、部屋の天井部材や周囲の家具等が防災用テーブル１の周辺に散在し、防災用テーブル１の下から身動きが取れなくなった場合であっても、本実施形態に係る防災用テーブル１であれば、様々な備品類等によって長時間の避難に耐えることが可能となる。
【００７３】
また、全ての脚柱３を垂直姿勢として構成すると、防災用テーブル１の上方からの天面１３への重量物の落下時の衝撃によって、防災用テーブル１が置かれた床面を脚柱３が貫通する可能性があり、天板２下への避難者の安全が保たれない。しかし、本実施形態に係る防災用テーブル１は、脚柱３全体を外方拡開状の傾斜姿勢とすることで、これを回避できる。また、後述する連結部９を防災用テーブル１に備えることで、更に、安全性を向上させることができる。
【００７４】
なお、本実施形態に係る防災用テーブル１は、上述したように脚柱３全体を外方拡開状の傾斜姿勢としているが、脚柱３の姿勢は本実施形態に限定されるものでなく、特許請求の範囲に記載された本発明の要旨の範囲内において、種々の変形・変更が可能である。
【００７５】
また、幕板８を構成することで、図８に示す本実施形態に係る防災用テーブル１の使用例のように、多くの備品類を第一備品収納機能５に収納しても、図１に示すように、通常の使用状態では外部から備品類が視認できない。更に、脚柱３の上半部２７の開口部３０を対角に位置する脚柱３に向けて配設しているので、第二備品収納機能７に収納した備品類についても、同様に外部から備品類が視認できない。
【００７６】
すなわち、本実施形態に係る防災用テーブル１は、防災に対して多くの機能を有しているにも関わらず、通常のテーブルとして違和感のない外観とすることができるだけでなく、視覚を通じて美観を起こさせるデザイン性をも備えることができる。
【００７７】
以上のように、本実施形態に係る防災用テーブル１の主要部分が形成されている。
【００７８】
次に、脚柱３を補強するための連結部９の構造について詳説する。
【００７９】
図２０（ａ）、（ｂ）に示すように、脚柱３の下端部には、対角に位置する脚柱３間に渡り連結部９を備えることができる。また、連結部９を備えることで、防災用テーブル１の天面１３に上方から重量物の落下があった場合でも、外方開拡状に傾斜姿勢の脚柱３が天板裏面４から外れることなく、安心して避難することができる。
【００８０】
連結部９は、帯状のベルト４３と、ベルト４３の両端部に夫々形成された基台部４４，４４とで構成している。ベルト４３は、ポリエルテル製の糸を細かく織り込んで帯状としたものを、対角に位置する脚柱３間に張設し、脚柱３の外側への広がりを防止するものである。また、ベルト４３の両端部には基台部４４，４４を備え、基台部４４は、脚柱３を固定するための脚固定溝４５を形成している。
【００８１】
図２１（ａ）、（ｂ）に示すように、基台部４４は、底面視（平面視）略卵型（涙滴型）の板状であり、上面には脚柱３の下端部の外径と略同径の円形凹状の脚固定溝４５を形成している。基台部４４の下面にはベルト４３の幅よりも若干広い幅を有し、ベルト４３の厚みよりも若干高い段差を形成した底面視略長方形状の案内溝４６が基台部４４の脚固定溝４５の裏面近傍から先鋭側の端縁部を越えて形成されている。
【００８２】
すなわち、基台部４４の下側に配設されたベルト４３は、床面と基台部４４との間で垂直方向の負荷を受けないように構成している。また、案内溝４６には、三箇所の雌ネジ孔３０４，３０４，３０４を穿設しており、ベルト４３に三箇所形成されたベルト固定孔（図示せず）と連通した状態で、ベルト４３側からボルト２０９，２０９，２０９によって基台部４４とベルト４３とを締結固定している。
【００８３】
以上のように連結部９は構成されており、対角に位置する脚柱３間において基台部４４の脚固定溝４５に、脚柱３の下端部を挿入載置することで、自由端であった脚柱３の下端部が、ベルト４３を介して互いに略固定された状態となる。なお、脚柱３の下端面に雌ネジ孔（図示せず）を形成し、基台部４４に形成した脚固定孔４７によってボルト(図示せず)による締結固定を行い、脚柱３と連結部９とを連結してもよい。
【００８４】
なお、本実施形態に係る防災用テーブル１においては、ベルト４３が交差するように連結部９を二個用いているが、二つのベルト４３を、交差する部分で連設して一個の連結部（図示せず）としてもよい。
【００８５】
また、ベルト４３の材質は、ポリエステルに限定されるものではなく、天板２の上方からの負荷に対して脚柱３の損傷よりも前に断裂しない程度の強度を有するものであれば、如何なる材質を使用してもよい。
【００８６】
なお、防災用テーブル１の下側においては、天板２と略同面積の、例えば、段通や絨毯等の敷物（図示せず）を配設することで、連結部９を略被覆して外部から視認し難くしてもよい。
【００８７】
以上のように、脚柱３の下端部に連結部９を備えることで、防災用テーブル１の上方から天面１３に重量物が落下してきても、脚柱３が外側に開いて天板裏面４から脚柱３が外れることなく、安心して避難することができる。
【００８８】
以上説明したように、本実施形態に係る防災用テーブル１には、複数の備品収納機能５，７と、安全機構であるグリップ６や連結部９を備えているが、例えば、第一備品収納機能５においてペットボトル収納機能１５を備えずに柔軟性備品収納機能２４のみを備え、第二備品収納機能７である脚部収納を備えず、連結部９を備える等、その組合せは適宜任意に設定できるものである。
【００８９】
また、係止部１７や係止フック１８、凹部溝１６や座繰り孔２５の位置や個数、形状等についても、本実施形態体に限定されるものではなく、特許請求の範囲に記載された本発明の要旨の範囲内において、種々の変形・変更が可能である。
【００９０】
ここで、上述した本発明に係る一実施形態の変形例を説明する。なお、以下の説明においては、上述した実施形態とは異なる点のみを説明し、その他は同じ符号を付して説明は適宜省略する。
【００９１】
[変形例]
図２２を参照して第一備品収納機能５の構造についての変形例を説明する。本変形例に係る天板裏面４の係止フック１８Ａは、上述した一実施形態に係る係止フック１８を天板裏面４に対して着脱自在に構成している。具体的には、係止フック１８Ａの基端部側に雄ネジ２１０を形成し、天板２の裏面側の所定の箇所に雄ネジ２１０に対応する雌ネジ孔３０５を穿設している。
【００９２】
雌ネジ孔３０５の周縁には、上述した同心円状の天板係止用凹部２３や座繰り孔２５を形成することが望ましく、中心に雌ネジ孔３０５を穿設することで、例えば、図２３（ａ）に示すように、係止フック１８Ａを所望の位置に取り付けることが可能となる。また、図２３（ｂ）に示すように、ペットボトル収納機能１５を採用せずに、当該位置に係止フック１８Ａを着脱自在に構成することも可能である。
【００９３】
以上のように構成することで、係止フック１８Ａの配設箇所を、収納する備品の大きさ等に応じて柔軟に変更可能とすることができる。
【００９４】
以上、本発明の好ましい実施形態や変形例を説明したが、本発明は係る特定の実施形態や変形例に限定されるものではなく、特許請求の範囲に記載された本発明の要旨の範囲内において、種々の変形・変更が可能である。
【符号の説明】
【００９５】
１    防災用テーブル
２    天板
３    脚柱
４    天板裏面
５    第一備品収納機能
６    グリップ
７    第二備品収納機能
８    幕板
９    連結部
１５    ペットボトル収納機能
１８Ａ  係止フック（着脱自在）
１９    保持部材（ゴム紐）
２４    柔軟性備品収納機能
２７    上半部
２８    内部空間
【図１】
2014210095.tif 000003
【図２】
2014210095.tif 000004
【図３】
2014210095.tif 000005
【図４】
2014210095.tif 000006
【図５】
2014210095.tif 000007
【図６】
2014210095.tif 000008
【図７】
2014210095.tif 000009
【図８】
2014210095.tif 000010
【図９】
2014210095.tif 000011
【図１０】
2014210095.tif 000012
【図１１】
2014210095.tif 000013
【図１２】
2014210095.tif 000014
【図１３】
2014210095.tif 000015
【図１４】
2014210095.tif 000016
【図１５】
2014210095.tif 000017
【図１６】
2014210095.tif 000018
【図１７】
2014210095.tif 000019
【図１８】
2014210095.tif 000020
【図１９】
2014210095.tif 000021
【図２０】
2014210095.tif 000022
【図２１】
2014210095.tif 000023
【図２２】
2014210095.tif 000024
【図２３】
2014210095.tif 000025